(57)【要約】      （修正有）【課題】マスクに取り付け可能なマスク用フィルターシートを提供する。【解決手段】マスクに設けられた顔の一部を被覆可能な布帛部が鼻及び口を被覆する保護領域を覆う大きさに形成された不織布によって構成されてなるシート本体２と、シート本体の表面に設けられた粘着層３と、粘着層の粘着面４に剥離可能に貼付されてなる剥離シート５と、を備える。従来からあるガーゼマスクなどにメルトブローン不織布の遮蔽性、すなわち、マスクの外部から、細菌やウイルスが口腔及び鼻腔に侵入することを抑制する抗菌・抗ウイルス効果を、マスク使用時に追加的に付加することができる。【選択図】図１
0003227491.tif 000002
【実用新案登録請求の範囲】
【請求項１】
鼻及び口を含む保護領域を被覆する布帛部を備えるマスクにおける前記保護領域を覆う大きさに形成された不織布によって構成されてなるシート本体と、
前記シート本体の表面に設けられた粘着層と、
前記粘着層の粘着面に剥離可能に貼付されてなる剥離シートと、を備える
ことを特徴とするマスク用フィルターシート。
【請求項２】
前記シート本体がメルトブローン不織布である
ことを特徴とする請求項１に記載のマスク用フィルターシート。
【請求項３】
前記シート本体が目付１５〜３５ｇ／ｍ２である
ことを特徴とする請求項１または２に記載のマスク用フィルターシート。
【請求項４】
前記シート本体に、ナノプラチナ粒子及びカテキンが混在した状態で塗布されてなる
ことを特徴とする請求項１〜３のいずれか１つに記載のマスク用フィルターシート。
【請求項５】
前記シート本体に、ナノプラチナ粒子及びカテキンが混在した状態で練り込まれてなる
ことを特徴とする請求項１〜４のいずれか１つに記載のマスク用フィルターシート。
【考案の詳細な説明】
【技術分野】
【０００１】
本考案は、マスクに貼付して使用するマスク用フィルターシートに関する。
【背景技術】
【０００２】
風邪などの疾患を患った患者が、咳などにより口や鼻から病原菌が外気へ放出されることを防止するため、若しくは、花粉症を有する者が外気に飛散している花粉などのアレルギー源を体内へ取り込まないようにするためなど、体調維持を目的としてマスクは重要な役割を担っている。
【０００３】
さらにマスクの重要な役割として、ウイルスなどの微細な病原体を体内に取り込まないことがある。このような機能を備えるには、遮蔽効果の高い不織布でマスクを製造する必要がある。
【先行技術文献】
【特許文献】
【０００４】
【特許文献１】特開２０１７−１５０１１９号公報
【考案の概要】
【考案が解決しようとする課題】
【０００５】
しかし、感染能力が高いウイルスなどによる疫病が広がると、人々が遮蔽効果の高い高機能なマスクを一斉に買い求めるために、これら高機能なマスクが市場において入手困難となりやすくなる傾向がある。そして、高機能マスクが入手できない人々は、ガーゼなどで製造された遮蔽効果の低いマスクで代用しなければならないという問題があった。
【課題を解決するための手段】
【０００６】
そこで、上記課題を解決するための手段として本考案に係るマスク用フィルターシートは、鼻及び口を含む保護領域を被覆する布帛部を備えるマスクにおける前記保護領域を覆う大きさに形成された不織布によって構成されてなるシート本体と、前記シート本体の表面に設けられた粘着層と、前記粘着層の粘着面に剥離可能に貼付されてなる剥離シートと、を備える
ことを特徴とする。
【０００７】
粘着層は、マスク用フィルターシートを布帛部に貼付する前の状態においては剥離シートが粘着面に取り付けられてなることで取り扱いを容易とすることができる。そして、マスク用フィルターシートを布帛部に貼付する際に剥離シートを剥がして粘着面を露出させてマスク用フィルターシートを布帛部に貼付することで所望の位置に貼付することが容易となる。また、粘着層は、マスク用フィルターシートの外縁部にのみ設けることで、布帛部の保護領域には粘着層を設けずにマスク用フィルターシートの貼付を可能とすることができる。粘着層がマスク用フィルターシートの前面に設けられてなると、マスクの装着者が粘着層をも介して呼吸を行う必要があり、息苦しさを生じさせるが、粘着層がマスク用フィルターシートの外縁部に設けられることでこのような息苦しさの発生を回避することができるからである。なお、マスク用フィルターシートが貼付される布帛部の表面は、マスクを顔に装着した際に、外表面となる面でもよく、また、鼻や口と接する内表面であってもよい。
【０００８】
また、粘着層をマスク用フィルターシートの外縁部に設ける際には、マスク用フィルターシートの左右の側縁に沿って帯状に設ける、若しくは上下の側縁に沿って帯状に設けることが好ましい。このような粘着層の介在であっても十分にマスク用フィルターシートと布帛部との取付け強度を確保することができると共に、剥離シートを剥がす操作なども容易となるからである。
【０００９】
シート本体は、メルトブローン不織布であることが好ましい。メルトブローン不織布として目付１５〜３５ｇ／ｍ２のものを使用することが好ましい。これにより、布帛部のみでは口腔及び鼻腔への侵入を防ぎきれない微細な花粉や細菌などの侵入を抑制することができるからである。さらに、メルトブローン不織布として目付２０〜２５ｇ／ｍ２のものを使用することがより好ましい。これにより、微粒子補修効率（ＰＦＥ）、細菌ろ過効率（ＢＦＥ）、及びウイルスろ過効率（ＶＦＥ）を９５％程度期待することができ、顔の一部を被覆する部分が、絹、綿、または麻のみからなるマスクと比較してＰＦＥ、ＢＦＥ、及びＶＦＥを飛躍的に高めることができる。メルトブローン不織布は、メルトブローン法によって形成された樹脂短繊維によって構成されてなるものである。メルトブローン不織布は、ポリプロピレン繊維若しくはナイロン繊維が含まれてなるものが好ましい。またメルトブローン不織布の平均孔径は、０．５〜２０μｍであることが好ましい。さらに、メルトブローン不織布の繊維径は、０．５〜１０μｍであることが好ましい。
【００１０】
また、前記メルトブローン不織布に、ナノプラチナ粒子及びカテキンが混在した状態で塗布されてなることとしても好ましい。メルトブローン不織布への塗布は、ナノプラチナ粒子及びカテキンの混合水溶液にメルトブローン不織布を浸漬させて乾燥させることで行うことが好ましい。また、メルトブローン不織布に対して、ナノプラチナ粒子及びカテキンの混合水溶液を噴霧により吹き付けたのちに乾燥させることとしてもよい。なお、ナノプラチナ粒子及びカテキンの混合水溶液に代えて、他の溶媒を用いた混合溶液を用いることも可能である。
【００１１】
さらに、シート本体に、ナノプラチナ粒子及びカテキンが混在した状態で練り込まれてなることが好ましい。たとえば、シート本体は不織布であるため、シート本体の製造時に溶融された原料樹脂にナノプラチナ粒子及びカテキンが混合された状態として、シート本体を繊維状に吐出、乾燥させることでナノプラチナ粒子及びカテキンが混在した状態で練り込まれてなるマスク用フィルターシートを形成することができる。このとき、シート本体がメルトブローン不織布であることでナノプラチナ粒子及びカテキンが混在した状態で練り込ませることを容易に行うことができるため、より好ましい。また、シート本体の原料樹脂にはポリプロピレン樹脂などを使用することが好ましい。
【００１２】
また、ナノプラチナ粒子は粒径が２ｎｍ〜２０ｎｍであることが好ましく、より好ましくは粒径が２ｎｍ〜１０ｎｍ、さらに好ましくは粒径が２ｎｍ〜５ｎｍであることが好ましい。粒径が小さいほど、消臭効果に対するナノプラチナ粒子の触媒効果の増強を図ることができるからである。
【００１３】
また、マスク用フィルターシートを貼付するマスクの布帛部は、絹、綿、または麻によって形成されてなることが好ましい。絹、綿、または麻はシート状の織物として製造が容易であるからである。さらに、前記布帛部は、織物としてのガーゼであっても好ましい。
【考案の効果】
【００１４】
本考案によれば、従来からあるガーゼマスクなどにメルトブローン不織布の遮蔽性、すなわち、マスクの外部から、細菌やウイルスが口腔及び鼻腔に侵入すること抑制する抗菌・抗ウイルス効果を、マスク使用時に追加的に付加することができる。また、マスクの使用が終わって顔からマスクを外した後は、メルトブローン不織布を布帛部から取り外したあと、マスクのみを洗浄することができ、繰り返し使用することができる。洗浄した後の布帛部には、新しいマスク用フィルターシートを貼付することによって遮蔽性を新たに貼付することができる。
【００１５】
また、シート本体にナノプラチナ粒子及びカテキンが混在した状態で塗布又は練り込まれることによって、本考案に係るマスクに抗菌・抗ウイルス効果のみならず、消臭効果を付加することができる。
【図面の簡単な説明】
【００１６】
【図１】マスク用フィルターシート１の外形の一例を示す図である。
【図２】マスク用フィルターシート１を布帛部７の外表面に貼付ける様子を示す図である。
【図３】マスク用フィルターシート１が貼付されたマスク６の外表面側からの外観を示す図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１は、本考案に係るマスク用フィルターシート１の全体の概要を示す斜視図である。シート本体２表面の左右両端縁にはそれぞれ帯状の粘着層３が設けられてなる。粘着層３の粘着面４には予め剥離シート５が取り付けられてなり、マスク用フィルターシート１をマスク６の布帛部７に取り付ける直前以前においては粘着面４を保護しておくことができる。これにより、マスク用フィルターシート１を取り扱う際に、不意に粘着層３が手などに粘着してマスク用フィルターシート１の貼付作業を阻害することを防止することができる。
【００１９】
マスク用フィルターシート１を布帛部７に貼り付ける際には図１に示すように、剥離シート５を粘着層３から剥がして粘着面４を露出させてから貼り付ける。
【００２０】
本実施の形態において、シート本体２はポリプロピレン樹脂を原料としたメルトブローン不織布によって構成されてなる。シート本体２の目付は２０〜２５ｇ／ｍ２のものを用いることが好ましい。なお、シート本体２には、図２に示すようにナノプラチナ粒子Ｐ及びカテキンＫが混在した状態で塗布されていても好ましい。本実施の形態によれば、シート本体２へのナノプラチナ粒子Ｐ及びカテキンＫの塗布は、ナノプラチナ粒子Ｐ及びカテキンＫの混合水溶液にシート本体２を浸漬させて乾燥させることにより行った。シート本体２にナノプラチナ粒子Ｐ及びカテキンＫが混在した状態で塗布されることによって、マスク用フィルターシート１に抗菌・抗ウイルス効果のみならず、消臭効果を付加することができる。
【００２１】
マスク６は、顔の一部を被覆可能な布帛部７と、布帛部７の両側縁に取り付けられた耳掛け部８，８を備える。マスク６は、内側布部２２を顔表面に当てて、耳掛け部８，８を耳に掛け回すことによって顔に装着することができる。
【００２２】
なお、マスク用フィルターシート１は、マスク外部からの花粉や細菌、好ましくはウイルスの侵入を防ぐために、マスク６を装着した使用者の鼻と口を被覆して保護することができる図３の二点鎖線に示すような保護領域９を覆う位置に装着されてなる。これにより、布帛部７が綿を素材とするガーゼによって形成されてなり、布帛部７自体には高い遮蔽性を備えるものでない場合であっても、ガーゼよりも遮蔽性の高いメルトブローン不織布の遮蔽性を、マスク６の使用時に追加的に付加することができる。
【００２３】
また、マスク用フィルターシート１は、図２の矢印に示す向きにマスク６の布帛部７の外表面に押し付けることによって貼付けることができる。シート本体２の左右両端縁に沿って設けられた粘着層３の粘着面４を布帛部７の外表面に押し当てることにより、貼付されたマスク用フィルターシート１が布帛部７から落下することを防止することができる。なお、マスク用フィルターシート１が貼付される布帛部７の表面は、マスクを顔に装着した際に、外表面となる面でもよく、また、鼻や口と接する内表面であってもよい。本実施の形態においては、図２，３において、マスク用フィルターシート１は布帛部７の外表面に貼り付けた場合が示されている。
【００２４】
本考案に係るマスク用フィルターシート１によれば、従来からあるガーゼマスクなどの使用時に高い遮蔽性を追加的に付加することができる。また、マスク６の使用が終わって顔からマスク６を外した後は、マスク用フィルターシート１を布帛部７から取り出したあと、マスク６を別途洗浄することができ、繰り返し使用することができる。洗浄した後の布帛部７には、マスク用フィルターシート１を新たに貼付することによって遮蔽性を再び付加することができる。
【符号の説明】
【００２５】
１  マスク用フィルターシート
２  シート本体
３  粘着層
４  粘着面
５  剥離シート
６  マスク
７  布帛部
【図１】
0003227491.tif 000003
【図２】
0003227491.tif 000004
【図３】
0003227491.tif 000005